(57)【特許請求の範囲】
【請求項１】
室外機と、冷媒流量制御弁を有し、前記冷媒流量制御弁により個々に運転制御される複数の室内機とが接続された冷凍サイクルと、
前記室内機に設けられ、前記室内機の室内熱交換器から発生したドレン水を溜めるドレンパンと、
前記冷凍サイクルを冷房運転又は暖房運転させる制御部とを備え、
前記制御部は、冷房運転の停止指示があると、その停止指示のあった停止室内機内に溜まっているドレン水が蒸発してドレンパンから無くなるまでに要する所要時間を決定し、前記停止指示により冷房運転停止後、前記所要時間内において前記停止室内機内部が結露が発生し易い状態にあると判断した場合に、前記停止室内機の室内送風機を運転させるドレンパン乾燥運転を開始し、前記ドレンパン乾燥運転の開始時に、前記所要時間の残り時間と前記ドレンパン乾燥運転における前記室内送風機の送風条件とに基づいて前記残り時間よりも短い前記ドレンパン乾燥運転の必要実施時間を決定し、前記ドレンパン乾燥運転開始後、前記必要実施時間内において前記停止室内機内部の温度が所定温度以上の間、前記ドレンパン乾燥運転を続けることを特徴とする空気調和機。
【請求項２】
前記制御部は、前記停止室内機の室内熱交換器の温度が所定温度以上の場合、前記停止室内機内部が結露が発生し易い状態にあると判断することを特徴とする請求項１記載の空気調和機。
【請求項３】
前記制御部は、前記停止室内機の室内熱交換器の温度が所定の温度以上で且つ吸込空気温度と前記室内熱交換器の温度との温度差が所定値以上の場合、前記停止室内機内部が結露が発生し易い状態にあると判断することを特徴とする請求項１記載の空気調和機。
【請求項４】
前記制御部は、前記ドレンパン乾燥運転時の室内送風機の回転数を、冷房運転又は暖房運転において通常使用する最低回転数より更に低い回転数とすることを特徴とする請求項１乃至請求項３の何れか１項に記載の空気調和機。
【請求項５】
前記制御部は、前記ドレンパン乾燥運転の際、前記停止室内機の風向き方向を所定の方向に制御することを特徴とする請求項１乃至請求項４の何れか１項に記載の空気調和機。
【請求項６】
人のいる位置を感知する人感検知センサーを備え、前記制御部は、前記停止室内機の風向き方向を前記人感検知センサーにより人が感知されない方向に制御することを特徴とする請求項５記載の空気調和機。
【請求項７】
前記制御部は、前記ドレンパン乾燥運転時の前記室内送風機の回転数を、前記人感検知センサーにより人が検知されていない場合、人が検知されている場合に比べて上昇させることを特徴とする請求項６記載の空気調和機。
【請求項８】
前記ドレンパン乾燥運転の作動の有無を、設定により切り換えられることを特徴とする請求項１乃至請求項７の何れか１項に記載の空気調和機。
【発明の詳細な説明】
【技術分野】
【０００１】
本発明は、１台の室外機に複数台の室内機が接続された空気調和機に関する。
【背景技術】
【０００２】
従来より、１台の室外機に、冷媒流量制御弁を持つ複数台の室内機が接続され、各室内機を個別に運転・停止できるようにした空気調和機がある。この種の空気調和機においては、冷房運転停止後、冷凍サイクル全体が暖房運転モードに切り換わったときの停止室内機に対する油回収・冷媒回収運転により発生した熱がこもることで、停止室内機内でカビが発生する。よって、これを防ぐために、停止の指示が出ても停止室内機の送風機を強制的に継続して運転し、熱のこもりを回避する制御が提案されている（例えば、特許文献１参照）。
【０００３】
また、従来より、冷房運転終了後に意図的に高温高圧のガスを室内機に送るとともに、送風機を運転し、温風を流すことで室内機全体を乾燥させる制御が提案されている（例えば、特許文献２参照）。
【先行技術文献】
【特許文献】
【０００４】
【特許文献１】特開平９−１４７３５号公報（第５頁）
【特許文献２】特開２００８−２９８２９８号公報（請求項１）
【発明の概要】
【発明が解決しようとする課題】
【０００５】
空気調和機では、複数台の室内機のうちの何れかに暖房運転が指示されて冷凍サイクルが暖房運転をしているとき、運転停止中の室内機では、運転停止中であっても自室内機の内部に冷媒が溜り込むのを防ぐために冷媒流量制御弁を僅かに開くようにしている。このため、停止室内機には高温冷媒が通過するが、停止室内機では室内送風機が停止されているため、高温冷媒によって室内熱交換器が高温となり室内機内部に高温の空気が滞留する。
【０００６】
冷房運転中は室内熱交換器にて凝縮したドレン水がドレンパンに溜まっていく。このため、過去の冷房運転により発生したドレン水がドレンパンに残留している状態で冷凍サイクルを暖房運転に切り替え、前述のように停止室内機内の室内熱交換器が高温となると、残留したドレン水の蒸発が促進される。よって、停止室内機内部に高湿高温の空気が滞留して室内機内部に結露が発生し易い状態となり、結露箇所でのカビの繁殖、室内機からの水滴の滴下、電気品への水進入などの問題が生じる。
【０００７】
この問題を解消するには、特許文献１及び特許文献２のように停止室内機の室内送風機を強制的に継続して運転することが有効である。しかし、特許文献１及び特許文献２では、停止指示があると無条件に室内送風機の運転を継続するようにしており、室内送風機の運転継続を実質的に必要かどうかを見極める点について考慮されていなかった。
【０００８】
本発明は、上記のような課題を解決するためになされたもので、停止室内機の室内送風機を、運転タイミングを見極めた上で運転し、ドレン水が残留している停止室内機の内部に高湿高温の空気が溜まりこむことを抑制することが可能な空気調和機を得ることを目的とする。
【課題を解決するための手段】
【０００９】
本発明に係る空気調和機は、室外機と、冷媒流量制御弁を有し、冷媒流量制御弁により個々に運転制御される複数の室内機とが接続された冷凍サイクルと、室内機に設けられ、室内機の室内熱交換器から発生したドレン水を溜めるドレンパンと、冷凍サイクルを冷房運転又は暖房運転させる制御部とを備え、制御部は、冷房運転の停止指示があると、その停止指示のあった停止室内機内に溜まっているドレン水が蒸発してドレンパンから無くなるまでに要する所要時間を決定し、停止指示により冷房運転停止後、所要時間内において停止室内機内部が結露が発生し易い状態にあると判断した場合に、停止室内機の室内送風機を運転させるドレンパン乾燥運転を開始し、ドレンパン乾燥運転の開始時に、所要時間の残り時間とドレンパン乾燥運転における室内送風機の送風条件とに基づいて残り時間よりも短いドレンパン乾燥運転の必要実施時間を決定し、ドレンパン乾燥運転開始後、必要実施時間内において停止室内機内部の温度が所定温度以上の間、ドレンパン乾燥運転を続けるものである。
【発明の効果】
【００１０】
本発明によれば、停止室内機の室内送風機を運転させるドレンパン乾燥運転を実質的に必要なタイミングで実施してドレンパン乾燥運転の実施時間を抑えつつ、ドレン水が残留している停止室内機の内部に高湿高温の空気が溜まりこむことを抑制することができる。
【図面の簡単な説明】
【００１１】
【図１】本発明の一実施の形態に係る空気調和機の構成を示す図である。
【図２】図１の室内機の概略構成を示す図である。
【図３】図２のドレンパンの一部拡大概略図である。
【図４】本発明の一実施の形態に係る空気調和機の制御構成を示すブロック図である。
【図５】本発明の一実施の形態に係る空気調和機の動作の流れを示すフローチャートである。
【発明を実施するための形態】
【００１２】
以下、本発明の実施の形態について記述する。
【００１３】
図１は、本発明の一実施の形態に係る空気調和機の構成を示す図である。図１及び後述の図において、同一の符号を付したものは、同一の又はこれに相当するものであり、これは明細書の全文において共通している。
空気調和機は、１台の室外機１と、この室外機１に並列に接続された複数の室内機２Ａ、２Ｂ、２Ｃ（以下、総称して室内機２とする場合がある。）とを備えている。空気調和機の冷凍サイクルは、室外機１と、室内機２Ａ、２Ｂ、２Ｃとが接続されることによって構成されている。なお、図示の都合上、図１には室内機を３台しか図示していないが、更に複数台接続可能である。
【００１４】
室外機１は、圧縮機１１と、四方切換弁１２と、室外熱交換器１３と、電子膨張弁１４と、圧縮機１１吸入側に設けられたアキュームレーター１５と、室外送風機１６とを備えている。
【００１５】
室内機２Ａ、２Ｂ、２Ｃは、室内熱交換器２１Ａ、２１Ｂ、２１Ｃ（以下、総称して室内熱交換器２１とする場合がある。）、室内熱交換器２１Ａ、２１Ｂ、２１Ｃに空気を送風する室内送風機２２Ａ、２２Ｂ、２２Ｃ（以下、総称して室内送風機２２とする場合がある。）と、冷媒流量制御弁２３Ａ、２３Ｂ、２３Ｃ（以下、総称して冷媒流量制御弁２３とする場合がある。）とを備えている。室内機２Ａ、２Ｂ、２Ｃは、冷媒流量制御弁２３Ａ、２３Ｂ、２３Ｃにより個別に冷媒の流量を調整することを可能としている。また、リモートコントローラー２６Ａ、２６Ｂ、２６Ｃが各室内機２Ａ、２Ｂ、２Ｃに接続されており、室内機２Ａ、２Ｂ、２Ｃそれぞれに個別に運転指示を与えることを可能としている。
【００１６】
また、室内機２Ａ、２Ｂ、２Ｃには、室内熱交換器２１Ａ、２１Ｂ、２１Ｃの配管の温度を検知する配管温度センサー２５Ａ、２５Ｂ、２５Ｃ（以下、総称して配管温度センサー２５とする場合がある。）と、室内の空気温度を検知する吸込温度センサー２４Ａ、２４Ｂ、２４Ｃ（以下、総称して吸込温度センサー２４とする場合がある。）とを備えている。これらの各検知センサーの信号は、後述の制御部１００に出力されるようになっている。
【００１７】
この空気調和機は、四方切換弁１２の切り換えにより冷房運転又は暖房運転が可能に構成されている。
【００１８】
この空気調和機には更に、空気調和機全体を制御する制御部１００が設けられている。なお、図１には室外機１のみに制御部１００を設けた構成を図示しているが、各室内機２に制御部１００の機能の一部を持つ室内制御部を設け、制御部１００と室内制御部との間でデータ通信を行うことにより連携処理を行う構成にしてもよい。
【００１９】
図２は、図１の室内機の概略構成を示す図で、一部を断面で示している。図３は、図２のドレンパンの一部拡大概略図である。
室内機２は、室内空気を吸い込むための吸込口３２と、吸込口３２から吸い込んだ空気を室内熱交換器２１を通過させて加熱又は冷却した後、室内へと吹き出すための吹出口３３と、吹出口３３から吹き出される空気の風向を制御する風向制御板３４と、風向制御板３４の位置を変更するための風向制御モーター（後述の図４参照）３４ａとを備えている。室内機２は更に、人のいる位置を感知する人感検知センサー３５を備えている。また、室内機本体内部には、冷房運転時に室内熱交換器２１から滴下した凝縮水（ドレン水）を受け止めて溜めるドレンパン３１を備えている。ドレンパン３１内には、ドレンパン３１内に溜まったドレン水をくみ上げて機外に排水するためのドレンポンプ３１ａを備えている。
【００２０】
図４は、本発明の一実施の形態に係る空気調和機の制御構成を示すブロック図である。図４には、後述の図５のフローチャートの説明に必要な構成のみを図示している。
制御部１００は、各室内機２にそれぞれ備えられた吸込温度センサー２４、配管温度センサー２５及び人感検知センサー３５からの検知信号を受けることができるように接続されている。また、制御部１００は、冷凍サイクルの暖房運転及び冷房運転の制御を行うと共に、図４に示した各センサーの検知信号に基づいてドレンパン乾燥運転を行う機能を有している。
【００２１】
ドレンパン乾燥運転とは、冷凍サイクルが暖房運転しているなか、運転停止している停止室内機に対して適宜実施される運転であり、その停止室内機のドレンパン３１内にドレン水が残留し、停止室内機の内部が結露が発生し易い状態にある場合に、その停止室内機の室内送風機を強制的に運転させる運転である。このドレンパン乾燥運転により、停止室内機の内部に高温高湿の空気が溜まり込むことを防ぎ、なおかつ、停止室内機のドレンパン３１内に残留したドレン水の蒸発を促進させてドレンパン３１を早く乾かすものである。
【００２２】
以下、空気調和機が実行する各運転モードの冷凍サイクルの動作について説明する。なお、ここでは、全室内機が運転する場合について説明する。
［冷房運転モード］
冷房運転時には、図１の四方切換弁１２は点線の方に切り換えられる。
圧縮機１１より吐き出された高温高圧の冷媒は室外熱交換器１３にて放熱し、電子膨張弁１４にて減圧された後、室内機２へ搬送される。冷媒流量制御弁２３を介して室内機２の室内熱交換器２１に流入した冷媒は、室内送風機２２の運転により吸込口３２から吸い込まれた室内空気と熱交換して蒸発した後、室内機２から流出して室外機１へ搬送される。室外機１へ搬送された冷媒は、アキュームレーター１５を経て再び圧縮機１１にて圧縮される。
【００２３】
ここで、冷房運転中は常時、室内熱交換器２１にて凝縮したドレン水がドレンパン３１に流れて溜まっていく。よって、適宜のタイミングでドレンポンプ３１ａを駆動してドレンパン３１内のドレン水を機外に排水するようにしている。
【００２４】
なお、ここでは、全ての室内機２が運転する場合について説明したが、例えば室内機２Ｂ、２Ｃのみ冷房運転し、室内機２Ａは冷房運転を停止している場合は、冷房運転停止中の室内機２Ａの冷媒流量制御弁２３Ａは全閉とされ、また、室内送風機２２Ａの運転は停止される。
【００２５】
［暖房運転モード］
暖房運転時には、図１の四方切換弁１２は実線の方に切り換えられる。
圧縮機１１より吐き出された高温高圧の冷媒は室内機２へ搬送される。室内機２へ搬送された冷媒は、冷媒流量制御弁２３を介して室内機２の室内熱交換器２１に流入し、室内送風機２２の運転により吸込口３２から吸い込まれた室内空気と熱交換して凝縮した後、室外機１から流出して室内機２へ搬送される。室外機１へ搬送された冷媒は、アキュームレーター１５を経て再び圧縮機１１にて圧縮される。
【００２６】
なお、ここでは、全ての室内機が運転する場合について説明したが、例えば室内機２Ｂ、２Ｃのみ暖房運転し、室内機２Ａは暖房運転を停止している場合、暖房運転停止中の室内機２Ａでは、上記従来技術で説明したように、冷媒流量制御弁２３Ａがわずかに開かれ、冷媒が室内熱交換器２１Ａに溜まらないようにしている。これは、冷房時と同様に冷媒流量制御弁２３Ａを全閉とすると、室内熱交換器２１Ａに冷媒が溜まり込み、冷凍サイクルにおける冷媒量が不足してしまうためである。
【００２７】
図５は、本発明の一実施の形態に係る空気調和機の動作の流れを示すフローチャートである。以下、空気調和機におけるドレンパン乾燥運転制御について、図５を参照して説明する。ここでは、少なくとも室内機２Ａを冷房運転した後（室内機２Ｂ、２Ｃについては運転・停止どちらでも良い）、室内機２Ａ〜２Ｃの冷房運転を停止し、その後、室内機２Ｂ、２Ｃを暖房運転し、室内機２Ａは停止する場合の室内機２Ａに着目して動作を説明する。
室内機２Ａでは最初の冷房運転によってドレンパン３１にドレン水が溜まった状態にある。そして、リモートコントローラー２６Ａより冷房運転の停止が指示されると（Ｓ１）、制御部１００は、室内機２Ａの冷媒流量制御弁２３Ａを全閉にすると共に室内送風機２２Ａを停止し、更にドレン水残留判断タイマーをＯＮにする。ドレン水残留判断タイマーには予め求められた所要時間が設定される。この所要時間は、冷房停止時のドレン水として想定される最大量のドレン水が自然蒸発によりドレンパン３１から無くなるまでに要する時間、言い替えれば自然乾燥に要する時間であり、予め実験等により求められる。
【００２８】
なお、冷房運転中は上述したようにドレンポンプ３１ａを適宜運転しているが、ドレンポンプ３１ａの運転を停止すると、ドレンポンプ３１ａから上方に延びるドレン配管の立ち上がり部分内の水がドレンパン３１に逆流して戻ってくる。よって、冷房停止時のドレン水として想定される最大量には、ドレン配管の立ち上がり部分内の水が逆流してドレンパン３１に戻った分の量も含め、その上で所要時間を求めるようにすることが望ましい。
【００２９】
以上のようにしてドレン水残留判断タイマーの設定時間を決定した後、ドレン水残留判断タイマーをＯＮしてカウントダウンを開始する（Ｓ２）。そして、制御部１００は、室内機２Ａが現在運転中か停止中かをチェックする（Ｓ３）。運転停止中の場合、ドレン水残留判断タイマーが終了しているか否かをチェックし（Ｓ４）、終了していない場合、すなわちドレンパン３１にまだドレン水が残留している場合、続いて停止室内機２Ａ内部が結露が発生し易い状態にあるか否かをステップＳ５，Ｓ６にて判断する。
【００３０】
すなわち、制御部１００はまず、配管温度センサー２５Ａの検知結果に基づいて室内熱交換器２１Ａの温度が所定温度以上か否かをチェックする（Ｓ５）。制御部１００は、室内熱交換器２１Ａの温度が所定温度以上と判断した場合、続いて吸込温度センサー２４Ａの検知結果と配管温度センサー２５Ａの検知結果とに基づいて吸込み空気温度と室内熱交換器２１Ａの温度との差が所定値以上か否かをチェックする（Ｓ６）。吸込み空気温度と室内熱交換器２１Ａの温度との差が所定値以上の場合、制御部１００はドレンパン乾燥運転を実施する（Ｓ７）。すなわち、ドレンパン乾燥運転は、ドレンパン３１にドレン水が残留している状態で、室内熱交換器２１Ａが高温となり且つ室内熱交換器２１Ａと室内空気温度の差が一定値以上となった場合、停止室内機内部が結露が発生し易い状態と判断し、停止室内機２Ａの室内送風機２２Ａを強制的に運転するドレンパン乾燥運転を実施する。言い換えれば、室内熱交換器２１Ａが高温とならず、且つ室内熱交換器２１Ａの温度と室内空気温度の差が一定値以上とならない場合には、ドレンパン３１にドレン水が残留している状態であってもドレンパン乾燥運転は行わない。なお、ドレンパン乾燥運転が行われない場合にも、ドレン水残留判断タイマーのカウントダウンは継続されている。
【００３１】
ドレンパン乾燥運転では、制御部１００は室内送風機２２Ａを運転させると共に、ドラフト回避風向制御を行う。すなわち、停止室内機２Ａから吹き出される空気が、人がいる可能性が高い方向に向かうのを回避して、人がいる可能性の低い方向に向かうように風向制御モーター３４ａを制御する。具体的には人感検知センサー３５の検知結果に基づいて人が感知されない方向に停止室内機２Ａからの風が向くように風向制御モーター３４ａを制御する。ドラフト回避風向制御としては、他に例えば、天井から下方へ吹き出す天井設置タイプの室内機では天井に沿う方向に、床に置いて設置する床設置タイプの室内機では上方へ風向制御するようにしてもよい。
【００３２】
また、ドレンパン乾燥運転時の室内送風機２２Ａの回転数は、冷房運転又は暖房運転において通常使用する最低回転数より更に低い回転数とする。これは、ドレンパン乾燥運転が実施されるのは室内機２Ａが冷房運転又は暖房運転を停止中のときである。すなわち、ユーザにとってみれば運転不要の室内環境のときであり、その環境において運転停止中の室内機２Ａから室内に向けて風が送風されるのは本来あまり好ましくない。よって、前記最低回転数より更に低い回転数で室内送風機２２Ａを回転させるようにしている。
【００３３】
また、制御部１００は、ドレンパン乾燥運転の開始と同時にドレンパン乾燥運転タイマーをＯＮし、カウントダウンを開始する（Ｓ７）。ドレンパン乾燥運転の必要実施時間はドレンパン３１に残留するドレン水量とドレンパン乾燥運転時における室内送風機２２Ａの回転数等の送風条件とに依存する。このため、ドレンパン乾燥運転タイマーの設定時間は、ドレンパン乾燥運転開始時点でのドレン水残留判断タイマーの残り時間と送風条件とに基づいて決定される。具体的には例えば、ドレンパン乾燥運転開始時点でのドレン水残留判断タイマーの残り時間から残留水量を推定し、残留水量とドレンパン乾燥運転時の室内送風機２２Ａの風速（ファン回転数）とに基づいて調整した時間とする。
【００３４】
ドレン水残留判断タイマーに設定される時間は、無風条件下で乾燥に要する時間であるのに対し、ドレンパン乾燥運転タイマーに設定される時間は、送風条件下で乾燥に要する時間であり、ドレン水残留判断タイマーの残り時間より短い時間となる。このように送風条件を加味してドレンパン乾燥運転タイマーを設定することで、必要以上に長くドレンパン乾燥運転を実施するのを防止できる。なお、ドレン水残留判断タイマーの残り時間からドレンパン３１内にドレン水が残っている可能性の有無を判断できるため、残っている可能性有りと判断した場合にドレンパン乾燥運転タイマーを設定し、残っている可能性無しと判断した場合にはドレンパン乾燥運転タイマーの設定は行わないようにすればよい。
【００３５】
ドレンパン乾燥運転開始後、制御部１００は、室内機２Ａが運転を停止したままで（Ｓ８）、配管温度センサー２５Ａにより検出された室内熱交換器２１Ａの配管温度が所定温度以上の状態が継続する場合（Ｓ９）、ドレンパン乾燥運転タイマーが終了するまで（Ｓ１０）、つまりドレンパン３１内にドレン水が無くなるまでドレンパン乾燥運転を継続して行う。そして、ドレンパン乾燥運転タイマーが終了すると、ドレン水の残留が無いと判断しドレンパン乾燥運転を終了する。なお、ドレンパン乾燥運転タイマーが終了するまでの間に配管温度センサー２５Ａにより検出された室内熱交換器２１Ａの配管温度が所定温度未満となった場合（Ｓ９）には、ドレンパン乾燥運転を中止して（Ｓ９ａ）、ステップＳ３に戻る。また、ドレンパン乾燥運転開始後、リモートコントローラー２６Ａから室内機２Ａに対して冷房又は暖房運転が指示された際には、図５のフローチャートの処理は終了し、指示された運転の制御に移行する。
【００３６】
また、ステップＳ３でドレン水残留判断タイマーをＯＮ後、室内機２Ａが冷房運転を再開した場合には（Ｓ１１）、ステップＳ１に戻る。
【００３７】
以上説明したように本実施の形態では、冷房運転終了時にドレンパン３１の乾燥に必要な所要時間を設定し、冷房運転終了後の所要時間内において停止室内機内部が結露が発生し易い環境状態にあるときにドレンパン乾燥運転を開始するようにした。このように、ドレンパン乾燥運転を実質的に必要なタイミングで実施することで、ドレンパン乾燥運転の実施時間を最小に抑えることができる。また、停止室内機の内部に高湿高温の空気が溜まりこむことを抑制でき、且つドレン水の蒸発を促すことができる。また、ドレンパン乾燥運転の実施時間を最小に抑えることで、省エネ化及び省エネに伴う環境保全にも貢献することが可能となる。
【００３８】
また、ドレンパン乾燥運転開始時における所要時間の残り時間と送風条件とに基づいてドレンパン乾燥運転タイマーの設定時間（ドレンパン乾燥運転の必要実施時間）を決定するようにしており、この時間は自然乾燥を前提として決められた前記所要時間の残り時間よりも短い時間となる。そして、この時間内において停止室内機内部の温度が所定温度以上のときにドレンパン乾燥運転を実施するようにしたため、室内送風機２２が駆動することによる蒸発の促進も考慮した時間をドレンパン乾燥運転の必要実施時間として設定することができ、ドレンパン乾燥運転が必要以上に実施されるのを防止できる。
【００３９】
また、ドレンパン３１の乾燥に必要な所要時間を予め求める際のドレン水の想定最大量を、ドレン配管内のドレン水がドレンポンプ３１ａの停止時にドレンパン３１内に戻った後のドレンパン３１内の水量とすることにより、本来ドレンパン乾燥運転が必要な状態であるにも関わらず、ドレンパン乾燥運転が実施されないといった不都合を防止できる。
【００４０】
また、ドレンパン３１の乾燥に必要な所要時間をドレン水残留判断タイマーの設定時間とし、冷房運転停止時からカウントダウンすることにより、ドレン水残留判断タイマーの残り時間（又はドレン水残留判断タイマーＯＮからの経過時間）によってドレン水残留の有無を判断することができる。
【００４１】
また、停止室内機の内部が結露が発生し易い状態にあることを、配管温度センサー２５の検知結果、又は配管温度センサー２５と吸込温度センサー２４の両方の検知結果に基づき判断することができる。
【００４２】
また、ドレンパン乾燥運転時の停止室内機２の室内送風機２２の回転数を冷房運転又は暖房運転において通常使用する最低回転数より更に低い回転数としたため、ドレンパン乾燥運転時にユーザに不快感を与えることを抑制できる。
【００４３】
また、停止室内機２の風向き方向を所定の方向、例えば人に当たりにくい方向に風向制御することにより、停止室内機２からの吹出空気が人に向かうのを防止できる。このような風向制御により、ドレンパン乾燥運転時に生暖かい風が人にあたるのを防止でき、ユーザに不快感を与えることを抑制できる。
【００４４】
また、ドレンパン乾燥運転を実施する際、人感検知センサー３５の検知結果により停止室内機２の周囲に人がおらず無人と判断した場合、人がいる場合の回転数に比べて高い回転数で室内送風機２２を駆動するようにしてもよい。この場合、ドレンパン３１の乾燥に要する時間を短縮することができる。
【００４５】
また、ドレンパン乾燥運転の作動の有無を設定により切り換えられるようにしてもよい。これにより、ユーザーに不快感を与えないことを優先することが可能となる。
【００４６】
なお、本実施の形態では、ドレン水残留判断タイマーの設定時間を、予め求められた所要時間に決定するとして説明したが、以下のようにして決定してもよい。すなわち、ドレンパン３１内のドレン水の水位を検知する水位検知センサーを設け、水位に基づいてドレンパン３１の乾燥に必要な時間を求め、その時間をドレン水残留判断タイマーの設定時間とする。この場合、水位とその水位のドレン水が完全に蒸発するのに要する時間との相関関係を予め求め、その相関関係に基づき冷房運転終了時のドレン水の水位からドレン水残留判断タイマーの設定時間を決定する。
【符号の説明】
【００４７】
１  室外機、２Ａ〜２Ｃ（２）  室内機、１１  圧縮機、１２  四方切換弁、１３  室外熱交換器、１４  電子膨張弁、１５  アキュームレーター、１６  室外送風機、２１Ａ〜２１Ｃ（２１）  室内熱交換器、２２Ａ〜２２Ｃ（２２）  室内送風機、２３Ａ〜２３Ｃ（２３）  冷媒流量制御弁、２４Ａ〜２４Ｃ（２４）  吸込温度センサー、２５Ａ〜２５Ｃ（２５）  配管温度センサー、２６Ａ〜２６Ｃ（２６）  リモートコントローラー、３１  ドレンパン、３１ａ  ドレンポンプ、３２  吸込口、３３  吹出口、３４  風向制御板、３４ａ  風向制御モーター、３５  人感検知センサー、１００  制御部。
【図１】
0005627502.tif 000002
【図２】
0005627502.tif 000003
【図３】
0005627502.tif 000004
【図４】
0005627502.tif 000005
【図５】
0005627502.tif 000006